(57)【要約】      （修正有）【課題】万人が同じ手法で開口を確実に閉じられるようにして、ゴミ置き場に分別ゴミ収容袋を廃棄した際の開口縁の不慮の開きを確実に防止することができる分別ゴミ収容袋を提供する。【解決手段】薄い高密度ポリエチレン製のシートで上方に開口した袋状に形成され、内部に分別したゴミを収容する分別ゴミ収容袋１を前提とし、その分別ゴミ収容袋本体１０の開口縁に、その開口縁を閉じるための閉塞手段１２を設ける。閉塞手段１２を、分別ゴミ収容袋本体１０の開口縁の周方向等間隔置きの４箇所より上方へ突出して互いに結び合える耳部１３，１３，…により構成する。各耳部１３を、高密度ポリエチレン製のシートを上下方向に長い略台形状に切除して形成し、それぞれの下端を分別ゴミ収容袋本体１０の開口縁に対し熱溶着により接合している。【選択図】図１
0003177616.tif 000002
【実用新案登録請求の範囲】
【請求項１】
薄い合成樹脂製のシートで上方に開口した袋状に形成され、内部に分別したゴミを収容する分別ゴミ収容袋であって、
分別ゴミ収容袋本体の開口縁には、その開口縁を閉じるための閉塞手段が設けられ、前記閉塞手段が、前記開口縁の周方向等間隔置きの複数箇所より上方へ突出して互いに結び合える耳部により構成されていることを特徴とする分別ゴミ収容袋。
【請求項２】
薄い合成樹脂製のシートで上方に開口した袋状に形成され、内部に分別したゴミを収容する分別ゴミ収容袋であって、
分別ゴミ収容袋本体の開口縁には、その開口縁を閉じるための閉塞手段が設けられ、前記閉塞手段が、前記開口縁の周方向等間隔置きの複数箇所にそれぞれ開口する開口孔と、これらの開口孔に対し前記開口縁の周方向から順に挿通される紐とにより構成されていることを特徴とする分別ゴミ収容袋。
【考案の詳細な説明】
【技術分野】
【０００１】
本考案は、分別したゴミを収容する分別ゴミ収容袋に関する。
【背景技術】
【０００２】
この種の分別ゴミ収容袋としては、薄い合成樹脂製のシートで上方に開口した袋状に形成され、内部に分別したゴミを収容するようにしたものが知られている（例えば、特許文献１参照）。
【先行技術文献】
【特許文献】
【０００３】
【特許文献１】特開２０００−２１２４７７号公報
【考案の概要】
【考案が解決しようとする課題】
【０００４】
ところが、前記従来のものでは、内部にゴミを収容した分別ゴミ収容袋の開口縁を閉じる手段がなく、各自が独自の手法で開口縁を閉じていた。そのため、ゴミ置き場に分別ゴミ収容袋を廃棄した際に開口縁が不慮に開いてしまうこともあり、その対策が切望されていた。
【０００５】
本考案は、かかる点に鑑みてなされたものであり、その目的とするところは、万人が同じ手法で開口を確実に閉じられるようにして、ゴミ置き場に分別ゴミ収容袋を廃棄した際の開口縁の不慮の開きを確実に防止することができる分別ゴミ収容袋を提供することにある。
【課題を解決するための手段】
【０００６】
前記目的を達成するため、本考案が講じた解決手段は、薄い合成樹脂製のシートで上方に開口した袋状に形成され、内部に分別したゴミを収容する分別ゴミ収容袋を前提とする。そして、分別ゴミ収容袋本体の開口縁に、その開口縁を閉じるための閉塞手段を設け、この閉塞手段を、前記開口縁の周方向等間隔置きの複数箇所より上方へ突出して互いに結び合える耳部により構成することを特徴としている。
【０００７】
また、前記目的を達成するため、本考案が講じたその他の解決手段は、薄い合成樹脂製のシートで上方に開口した袋状に形成され、内部に分別したゴミを収容する分別ゴミ収容袋を同様に前提とする。そして、分別ゴミ収容袋本体の開口縁に、その開口縁を閉じるための閉塞手段を設け、この閉塞手段を、前記開口縁の周方向等間隔置きの複数箇所にそれぞれ開口する開口孔と、これらの開口孔に対し前記開口縁の周方向から順に挿通される紐とにより構成することを特徴としている。
【考案の効果】
【０００８】
以上、要するに、分別ゴミ収容袋本体の開口縁を閉じるための閉塞手段を、開口縁の周方向等間隔置きの複数箇所より上方へ突出して互いに結び合える耳部により構成することで、耳部同士を結び合えば、分別ゴミ収容袋本体の開口縁がその複数箇所で互いに引き寄せ合われ、万人が同じ手法で確実に閉じられる。これにより、ゴミ置き場に分別ゴミ収容袋を廃棄した際の開口縁の不慮の開きを確実に防止することができる。
【０００９】
これに対し、閉塞手段を、分別ゴミ収容袋本体の開口縁の周方向等間隔置きの複数箇所にそれぞれ開口する開口孔と、これらの開口孔に対し開口縁の周方向から順に挿通される紐とにより構成することで、各開口孔に挿通した紐を引き寄せれば、分別ゴミ収容袋本体の開口縁が周方向から引き寄せられ、万人が同じ手法で確実に閉じられる。これにより、ゴミ置き場に分別ゴミ収容袋を廃棄した際の開口縁の不慮の開きを確実に防止することができる。
【図面の簡単な説明】
【００１０】
【図１】本考案の第１の実施の形態に係る分別ゴミ収容袋を正面から見た正面図である。
【図２】第１の実施の形態の変形例に係る分別ゴミ収容袋を正面から見た正面図である。
【図３】本考案の第２の実施の形態に係る分別ゴミ収容袋を正面から見た正面図である。
【考案を実施するための形態】
【００１１】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１２】
図１は本考案の第１の実施の形態に係る分別ゴミ収容袋を正面から見た正面図を示している。
【００１３】
図１において、１は本考案の第１の実施の形態に係る分別ゴミ収容袋であって、この分別ゴミ収容袋１は、内部に分別したゴミを収容するために供される。また、分別ゴミ収容袋１は、高密度ポリエチレン製（薄い合成樹脂）のシートで上方に開口した袋状に形成された分別ゴミ収容袋本体１０を備えている。
【００１４】
そして、分別ゴミ収容袋本体１０の開口縁１１には、互いに引き寄せ合って開口縁を閉じるための閉塞手段１２が設けられている。この閉塞手段１２は、分別ゴミ収容袋本体１０の開口縁１１の周方向等間隔置きの４箇所より上方へ突出して互いに結び合える耳部１３，１３，…により構成されている。この各耳部１３は、分別ゴミ収容袋本体１０と同じ高密度ポリエチレン製のシートを上下方向に長い略台形状に切除して形成されたものであり、それぞれの下端（下辺）が分別ゴミ収容袋本体１０の開口縁１１に対し熱溶着により接合されている。この場合、各耳部１３の下端は、それぞれ開口縁１１に沿って左右方向へ延びており、開口縁１１に対する接合面積を大きくして接合強度が高められるようにしている。
【００１５】
したがって、本実施の形態では、分別ゴミ収容袋本体１０の開口縁１１を閉じるための閉塞手段１２が、開口縁１１の周方向等間隔置きの４箇所より上方へ突出して互いに結び合える耳部１３，１３，…により構成されているので、互いに対向する耳部１３，１３同士を交差させて結び合えば、分別ゴミ収容袋本体１０の開口縁１１がその４箇所で互いに引き寄せ合われ、万人が同じ手法で確実に閉じられる。これにより、ゴミ置き場に分別ゴミ収容袋１を廃棄した際の開口縁１１の不慮の開きを確実に防止することができる。
【００１６】
なお、前記第１の実施の形態では、分別ゴミ収容袋本体１０の開口縁１１の周方向等間隔置きの４箇所に各耳部１３をそれぞれ接合したが、分別ゴミ収容袋本体の開口縁の周方向等間隔置きの２箇所、又は６箇所に耳部がそれぞれ接合されていてもよい。
【００１７】
また、前記第１の実施の形態では、各耳部１３をそれぞれ分別ゴミ収容袋本体１０の開口縁１１に熱溶着により接合したが、接着剤により接合されていてもよい。更に、図２に示すように、分別ゴミ収容袋本体２０の開口縁２１に設けられる閉塞手段２２が、開口縁２１の周方向等間隔置きの４箇所を下方に凹部状に切り欠いた残る部分により形成される耳部２３，２３，…によって構成されていてもよい。この場合には、高密度ポリエチレン製のシートを上下方向に長い略台形状に切除して各耳部を別途用意する必要がない上、各耳部の下端を分別ゴミ収容袋本体の開口縁に接合する必要もなく、分別ゴミ収容袋２を安価にかつ簡単に提供することが可能となる。
【００１８】
更に、前記第１の実施の形態では、分別ゴミ収容袋本体１０の開口縁１１の周方向等間隔置きの４箇所に耳部１３を接合したり、分別ゴミ収容袋本体２０の開口縁２１の周方向等間隔置きの４箇所を下方に凹部状に切り欠いた残る部分により耳部２３を形成したが、互いに相隣なる耳部同士の間に位置する開口縁を略円弧状又は略三角形状に下方へ切り欠いて耳部の長さを十分に確保することで、耳部同士の結び合いがより円滑に行えるようにしてもよい。
【００１９】
次に、本考案の第２の実施の形態を図３に基づいて説明する。
【００２０】
この実施の形態では、閉塞手段の構成を変更している。図３は本考案の第２の実施の形態に係る分別ゴミ収容袋を正面から見た正面図を示している。
【００２１】
すなわち、図３に示すように、分別ゴミ収容袋３は、内部に分別したゴミを収容するために供され、高密度ポリエチレン製（薄い合成樹脂）のシートで上方に開口した袋状に形成された分別ゴミ収容袋本体３０を備えている。
【００２２】
そして、分別ゴミ収容袋本体３０の開口縁３１には、その開口縁３１の周方向から互いに引き寄せ合って当該開口縁３１を閉じるための閉塞手段３２が設けられている。この閉塞手段３２は、分別ゴミ収容袋本体３０の開口縁３１の周方向等間隔置きの６箇所に開口する略真円形状の開口孔３４，３４，…と、これらの開口孔３４に対し開口縁３１の周方向から順に挿通される紐３３とにより構成されている。また、各開口孔３４の周縁には、当該各開口孔３４の周縁を補強する補強シール３５が貼り付けられている。
【００２３】
したがって、本実施の形態では、分別ゴミ収容袋本体３０の開口縁３１において周方向から引き寄せ合って開口縁３１を閉じるための閉塞手段３２が、分別ゴミ収容袋本体３０の開口縁３１の周方向等間隔置きの６箇所に開口する開口孔３４，３４，…と、これらの開口孔３４に対し開口縁３１の周方向から順に挿通される紐３３とにより構成されているので、各開口孔３４に挿通した紐３３を引き寄せれば、分別ゴミ収容袋本体３０の開口縁３１が周方向から引き寄せられ、万人が同じ手法で確実に閉じられる。これにより、ゴミ置き場に分別ゴミ収容袋３を廃棄した際の開口縁３１の不慮の開きを確実に防止することができる。
【００２４】
なお、前記第２の実施の形態では、分別ゴミ収容袋本体３０の開口縁３１の周方向等間隔置きの６箇所に開口孔３４をそれぞれ開口したが、分別ゴミ収容袋本体の開口縁の周方向等間隔置きの４箇所以上であれば幾つ開口孔が設けられていてもよい。
【符号の説明】
【００２５】
１        分別ゴミ収容袋
１０      分別ゴミ収容袋本体
１１      開口縁
１２      閉塞手段
１３      耳部
２        分別ゴミ収容袋
２０      分別ゴミ収容袋本体
２１      開口縁
２２      閉塞手段
２３      耳部
３        分別ゴミ収容袋
３０      分別ゴミ収容袋本体
３１      開口縁
３２      閉塞手段
３３      紐
３４      開口孔
【図１】
0003177616.tif 000003
【図２】
0003177616.tif 000004
【図３】
0003177616.tif 000005